(57)【要約】【課題】どのようなユーザーでも、極めて容易に目的地までの地図を取得することができる画像形成装置を提供する。【解決手段】画像読取部１２０は、原稿の画像を読み取り、画像データを取得する。目的地情報取得部３０１は、画像読取部１２０が取得した画像データから、原稿に記載された所在地情報を、目的地を示す情報として取得する。出発地情報保持部３０２は、出発地を示す情報として自装置の所在地情報を格納する。地図情報取得部３０３は、目的地情報取得部３０１が保持する目的地情報と、出発地情報保持部３０２が保持する出発地情報とに基づいて、出発地から目的地までの地図情報を取得する。画像形成部１４０は、地図情報取得部３０３が取得した地図情報を、目的地情報及び出発地情報とともに用紙上に印刷する。【選択図】図３
2016051010.tif 000002
【特許請求の範囲】
【請求項１】
原稿の画像を読み取り、画像データを取得する画像読取部と、
前記画像読取部が取得した画像データから、原稿に記載された所在地情報を、目的地を示す情報として取得する目的地情報取得部と、
出発地を示す情報として自装置の所在地情報を格納する出発地情報保持部と、
前記目的地情報取得部が保持する目的地情報と、前記出発地情報保持部が保持する出発地情報とに基づいて、出発地から目的地までの地図情報を取得する地図情報取得部と、
前記地図情報取得部が取得した地図情報を、前記目的地及び前記出発地とともに用紙上に印刷する画像形成部と、
を備える画像形成装置。
【請求項２】
前記原稿が既定のフォーマットに合致する原稿である、請求項１記載の画像形成装置。
【請求項３】
ユーザーによる、前記原稿における所在地情報が記載された領域の入力を受け付ける領域受付部をさらに備える請求項１又は請求項２記載の画像形成装置。
【請求項４】
前記出発地及び前記目的地を同一地図上に印刷する近距離モードと、前記出発地及び前記目的地を別々の地図上に印刷する遠距離モードとのいずれで印刷するかを、前記出発地情報及び前記目的地情報に基づいて選択する地図モード選択部をさらに備える、請求項１から請求項３のいずれか１項に記載の画像形成装置。
【請求項５】
前記遠距離モードにおいて、前記出発地と第１の経由地とを含む第１の地図、前記目的地と第２の経由地とを含む第２の地図、及び第１の経由地と第２の経由地との間の簡易経路情報を出力する、請求項４記載の画像形成装置。
【請求項６】
前記簡易経路情報が鉄道の経路情報又は高速道路の簡易経路情報である、請求項５記載の画像形成装置。
【発明の詳細な説明】
【技術分野】
【０００１】
本発明は、画像形成装置に関し、特に、原稿の画像を読み取り、読み取った画像から目的地までの地図と経路を出力可能な画像形成装置に関する。
【背景技術】
【０００２】
近年、プリンタや複写機、複合機等の画像形成装置は、広く普及しており、オフィス等の他、コンビニエンスストア等の不特定多数の人が出入りする商店にも設置されている。このような画像形成装置は、多機能化しており、ＵＳＢ（Universal Serial Bus）デバイスをはじめとする各種可搬記憶媒体との接続や、ＬＡＮ（Local Area Network）等のネットワークを通じた情報の取得等も可能になっている。
【０００３】
一方、このように広く普及した画像形成装置が有する印刷機能を有効利用する提案もなされている。例えば、特許文献１は、目的地までの経路を示す地図を印刷することができる地図出力装置を開示している。また、この装置では、装置の設置されている方向がユーザーに認識できる状態に加工された地図を印刷することができる。そのため、ユーザーは方向を容易に理解できる地図を取得することができる。
【０００４】
また、特許文献２は、印刷する地図の縮尺に基づいて、経由地の要否を判定し、経由地が必要と判断した場合には、出発地から経由地までの地図と経由地から目的地までの地図を印刷する画像形成装置を開示している。そのため、ユーザーは、出発地から目的地までの経路を表示する地図の縮尺が小さい場合、出発地から経由地までの縮尺が拡大された地図と、経由地から目的地までの縮尺が拡大された地図を得ることができる。
【先行技術文献】
【特許文献】
【０００５】
【特許文献１】特開２００８−１８０８９４号公報
【特許文献２】特開２０１２−０６８３９５号公報
【発明の概要】
【発明が解決しようとする課題】
【０００６】
しかしながら、特許文献１及び特許文献２が開示する技術では、目的地や経由地の情報をユーザーが入力する必要がある。そのため、入力する情報をユーザーがわからない場合や、ユーザーにより入力された情報が間違っていた場合、ユーザーは必要とする地図を得ることができない。
【０００７】
例えば、コンビニエンスストアで発券されたチケットの公演が何らかの理由で中止になった場合、チケットの払戻しを受けるためにはチケットを発券した店舗に行く必要がある。発券を受けたのが本人であれば払戻し店舗の場所を知らない状況は発生し難いが、発券を受けたのが本人以外であれば、払戻し店舗の場所を知らないこともあり得る。この場合、チケットに記載されている店舗名等から払戻し店舗の場所を調べる必要がある。しかしながら、インターネットを使いこなせないユーザー等は店舗情報を容易に入力することができず、誤った店舗を特定する可能性がある。また、近隣に同系列のコンビニエンスストアの店舗が複数あることも多く、誤った店舗に入ってしまう可能性もある。誤った店舗において正しい店舗の情報を得られる可能性もあるが、ユーザーが必要とする情報が必ず得られるとは限らない。
【０００８】
また、特許文献２が開示する技術では、電車や車等を使用して長距離を移動する場合は、経由地の数が多くなり、出力する地図の枚数も多くなる。その結果、ユーザーが混乱してしまう可能性が高い。
【０００９】
本発明は、このような従来の実情を鑑みてなされたものであり、どのようなユーザーでも、極めて容易に目的地までの地図を取得することができる画像形成装置を提供することを目的とする。
【課題を解決するための手段】
【００１０】
上述の目的を達成するために、本発明は以下の技術的手段を採用している。すなわち、本発明に係る画像形成装置は、画像読取部、目的地情報取得部、出発地情報保持部、地図情報取得部、及び画像形成部を備える。画像読取部は、原稿の画像を読み取り、画像データを取得する。目的地情報取得部は、画像読取部が取得した画像データから、原稿に記載された所在地情報を、目的地を示す情報として取得する。ここで、所在地情報には、住所等、目的地の所在地を直接的に示す情報の他、店舗名等、目的地の所在地を間接的に示す情報が含まれる。出発地情報保持部は、出発地を示す情報として自装置の所在地情報を格納する。地図情報取得部は、目的地情報取得部が保持する目的地情報と、出発地情報保持部が保持する出発地情報とに基づいて、出発地から目的地までの地図情報を取得する。なお、地図情報は、自装置内に格納された地図データベースから取得する構成であってもよく、ネットワークを介して接続されたサーバー装置に格納された地図データベースから取得する構成であってもよい。画像形成部は、地図情報取得部が取得した地図情報を、目的地情報及び出発地情報とともに用紙上に印刷する。
【００１１】
この画像形成装置では、ユーザーが原稿をスキャンすると、スキャンした原稿画像に基づいて画像形成装置が目的地を認識する。そして、認識した目的地の情報と、画像形成装置に予め登録されている出発地の情報とに基づいて、画像形成装置は、出発地から目的地までの地図情報を取得して印刷する。したがって、ユーザーは、操作パネルを通じて目的地の位置情報を入力することなく、目的地までの地図を取得することができる。
【００１２】
この画像形成装置において、上述の原稿は、既定のフォーマットに合致する原稿である構成を採用することができる。また、原稿における所在地情報が記載された領域の、ユーザーによる入力を受け付ける領域受付部をさらに備える構成を採用することもできる。これらにより、目的地情報取得部は、より簡単に目的地情報を取得することができる。
【００１３】
以上の画像形成装置は、地図モード選択部をさらに備えることができる。地図モード選択部は、近距離モードと遠距離モードとのいずれで印刷するかを、出発地情報及び目的地情報に基づいて選択する。近距離モードは、出発地及び目的地を同一地図上に印刷する地図モードである。遠距離モードは、出発地及び目的地を別々の地図上に印刷する地図モードである。なお、遠距離モードでは、別々の地図を同一の用紙上に印刷することがより好ましい。
【００１４】
また、遠距離モードにおいて、出発地と第１の経由地とを含む第１の地図、目的地と第２の経由地とを含む第２の地図、及び第１の経由地と第２の経由地との間の簡易経路情報を出力する構成を採用することもできる。簡易経路情報は、鉄道の簡易経路情報又は高速道路の簡易経路情報である構成を採用することもできる。なお、簡易経路情報は、経路のみを文字や図で示した情報を意味する。
【発明の効果】
【００１５】
本発明によれば、どのようなユーザーでも、極めて容易に目的地までの地図を取得することができる。
【図面の簡単な説明】
【００１６】
【図１】本発明の一実施形態における複合機の全体構成を示す概略構成図
【図２】本発明の一実施形態における複合機のハードウェア構成を示す図
【図３】本発明の一実施形態における複合機を示す機能ブロック図
【図４】本発明の一実施形態における複合機が実施する地図印刷手順の一例を示すフロー図
【図５】本発明の一実施形態における複合機が印刷する地図の一例を示す図
【図６】本発明の一実施形態における複合機が印刷する地図の他の例を示す図
【発明を実施するための形態】
【００１７】
以下、本発明の実施形態について、図面を参照しながらより詳細に説明する。以下では、デジタル複合機として本発明を具体化する。
【００１８】
図１は本実施形態におけるデジタル複合機の全体構成の一例を示す概略構成図である。図１に示すように、複合機１００は、画像読取部１２０及び画像形成部１４０を含む本体１０１と、本体１０１の上方に取り付けられたプラテンカバー１０２とを備える。複合機１００の前面にはユーザーが複合機１００に複写開始やその他の指示を与えたり、複合機１００の状態や設定を確認したりすることができる操作パネル１７１が設けられている。
【００１９】
本体１０１の上部には、画像読取部１２０が設けられている。画像読取部１２０は、走査光学系１２１により原稿の画像を読み取りその画像のデジタルデータ（画像データ）を生成する。
【００２０】
生成された画像データは、画像形成部１４０において被転写体である用紙に印刷することができる。また、生成された画像データは、ネットワークインターフェイス１６１によりネットワーク１６２を通じて他の機器（図示せず）へ送信することもできる。
【００２１】
画像形成部１４０は、画像読取部１２０が生成した画像データや、ネットワーク１６２に接続された他の機器から受信した画像データを用紙に印刷する。画像形成部１４０は、手差しトレイ１５１、給紙カセット１５２、１５３、１５４等から、トナー像を転写する転写部１５５へ用紙を給紙する。転写部１５５においてトナー像が転写された用紙は排紙トレイ１４９へ排紙される。
【００２２】
図２は、複合機における制御系のハードウェア構成図である。本実施形態の複合機１００は、ＣＰＵ（Central Processing Unit）２０１、ＲＡＭ（Random Access Memory）２０２、ＲＯＭ（Read Only Memory）２０３、ＨＤＤ（Hard Disk Drive）２０４及び画像読取部１２０、画像形成部１４０における各駆動部に対応するドライバー２０５が内部バス２０６を介して接続されている。ＲＯＭ２０３やＨＤＤ２０４等はプログラムを格納しており、ＣＰＵ２０１はその制御プログラムの指令にしたがって複合機１００を制御する。例えば、ＣＰＵ２０１はＲＡＭ２０２を作業領域として利用し、ドライバー２０５とデータや命令を授受することにより上記各駆動部の動作を制御する。また、ＨＤＤ２０４は、画像読取部１２０により得られた画像データや、他の機器からネットワークインターフェイス１６１を通じて受信した画像データの蓄積にも用いられる。
【００２３】
内部バス２０６には、操作パネル１７１や各種のセンサー２０７も接続されている。操作パネル１７１は、ユーザーの操作を受け付け、その操作に基づく信号をＣＰＵ２０１に供給する。また、操作パネル１７１は、ＣＰＵ２０１からの制御信号にしたがって自身が備えるディスプレイに操作画面を表示する。センサー２０７は、プラテンカバー１０２の開閉検知センサーや原稿台上の原稿検知センサー、定着器の温度センサー、搬送される用紙又は原稿の検知センサーなど各種のセンサーを含む。
【００２４】
ＣＰＵ２０１は、例えばＲＯＭ２０３に格納されたプログラムを実行することで、以下の各手段（機能ブロック）を実現するとともに、これらセンサーからの信号に応じて各手段の動作を制御する。
【００２５】
図３は、本実施形態の複合機を示す機能ブロック図である。図３に示すように、複合機１００は、目的地情報取得部３０１、出発地情報保持部３０２及び地図情報取得部３０３を備える。
【００２６】
目的地情報取得部３０１は、画像読取部１２０が取得した画像データから、原稿に記載された所在地情報を、目的地を示す情報として取得する。ここで、所在地情報には、住所等、目的地の所在地を直接的に示す情報の他、店舗名等、目的地の所在地を間接的に示す情報が含まれる。所在地情報が、目的地の所在地を間接的に示す情報である場合、目的地情報取得部３０１は、ネットワークインターフェイス１６１を通じて、ネットワーク１６２上の店舗情報サーバー（図示せず）を利用して目的地の住所を特定する。
【００２７】
本実施形態では、画像読取部１２０が取得した画像データは画像保持部３１１に一時的に保持される。本実施形態では、ＨＤＤ２０４が画像保持部３１１の記憶領域として機能する。目的地情報取得部３０１は、画像保持部３１１に保持された画像データに対して、ＯＣＲ（Optical Character Recognition）処理を実行し、文字情報を取得する。ここでは、目的地情報取得部３０１は、画像データに対して、２値化処理、エッジ強調、エッジ検出等の画像処理を施して文字領域を抽出するとともに、エッジ検出結果を解析することでその文字を特定する。
【００２８】
また、原稿は、読取対象面に所在地情報が記載されているものであれば、任意の原稿を使用することができる。特に限定されないが、例えば、コンサートや演劇等のチケットや名刺を使用することができる。特に、コンビニエンスストア等で発券されたチケットは、フォーマットが定型であり、所在地情報も特定の領域に記載されている。この場合、目的地情報取得部３０１は、所在地情報が記載されている特定の領域に対して文字認識を実施すればよい。
【００２９】
出発地情報保持部３０２は、出発地を示す情報として自装置の所在地情報を格納する。上述のように、所在地情報には、住所等、所在地を直接的に示す情報の他、店舗名等、所在地を間接的に示す情報が含まれる。特に限定されないが、ここでは、出発地情報保持部３０２には、複合機１００の設置場所の住所が予め登録されている。
【００３０】
地図情報取得部３０３は、目的地情報取得部３０１が保持する目的地情報（ここでは、目的地住所）と、出発地情報保持部３０２が保持する出発地情報（ここでは、出発地住所）とに基づいて、出発地から目的地までの地図情報を取得する。地図情報取得部３０３が取得した地図情報は、画像形成部１４０において、目的地及び出発地とともに用紙上に印刷される。
【００３１】
なお、地図情報は、複合機１００内に格納された地図データベースから取得する構成であってもよく、ネットワーク１６２を介して接続された外部のサーバー装置に格納された地図データベースから取得する構成であってもよい。ここでは、外部のサーバー装置２００に格納された地図データベース２０２から地図情報を取得する構成を採用している。サーバー装置２００は、ネットワークインターフェイス１６１を介してネットワーク１６２にデータ授受可能に接続されている。
【００３２】
また、本実施形態の複合機１００は、領域受付部３０４及び地図モード選択部３０５をさらに備える。
【００３３】
領域受付部３０４は、原稿における所在地情報が記載された領域の、ユーザーによる入力を受け付ける。本実施形態では、ユーザーによる領域指定は、操作パネル１７１が備えるタッチパネルディスプレイを通じて入力される。領域受付部３０４により領域指定が受け付けられた場合、目的地情報取得部３０１は、指定された領域から所在地情報を取得する。
【００３４】
地図モード選択部３０５は、近距離モードと遠距離モードとのいずれで印刷するかを、出発地情報及び目的地情報に基づいて選択する。近距離モードは、出発地及び目的地を同一地図上に印刷する地図モードである。遠距離モードは、出発地及び目的地を別々の地図上に印刷する地図モードである。
【００３５】
図４は、複合機１００が実行する地図印刷手順の一例を示すフロー図である。当該手順は、例えば、ユーザーが操作パネル１７１を通じて、原稿から目的地情報を取得して地図を印刷する地図印刷機能を選択したことをトリガーとして開始する。なお、ここでは、コンビニエンスストアの店舗（Ｘコンビニ、Ｚ店）で発券されたチケットの払戻しを受けるため、当該店舗までの地図を、他の店舗（Ｘコンビニ、Ｙ店）で取得する事例に基づいて説明する。
【００３６】
地図印刷機能を選択したユーザーは、まず、プラテンカバー１０２を開状態とし、チケットの印字面（所在地情報を含む面）を読取対象面として複合機１００の原稿台上に載置する（ステップＳ４０１）。本実施形態では、このとき、目的地情報取得部３０１により、操作パネル１７１のタッチパネルディスプレイに、チケットの配置位置及び配置方向を示すガイダンス画面が表示される。そして、チケットを原稿台に載置したユーザーがプラテンカバー１０２を閉状態にすると、目的地情報取得部３０１は操作パネル１７１のタッチパネルディスプレイを通じて、ユーザーに操作パネル１７１のスタートキーの押下を要求する（ステップＳ４０２Ｎｏ）。
【００３７】
ユーザーが操作パネル１７１のスタートキーを押下すると画像読取部１２０が画像読取を開始する（ステップＳ４０２Ｙｅｓ）。上述のように、画像読取部１２０が取得した画像データは画像保持部３１１に保持される。画像読取を完了した画像読取部１２０はその旨を目的地情報取得部３０１に通知する（ステップＳ４０３）。
【００３８】
当該通知に応じて目的地情報取得部３０１が画像保持部３１１に保持された画像データから目的地の情報を取得する（ステップＳ４０４）。特に限定されないが、本実施形態では、目的地情報取得部３０１は目的地情報として、チケットを発券した店舗の住所を取得する。ユーザーが上述のガイダンス画面にしたがってチケットを正しく配置した場合、チケットに記載されている発券店舗の所在地情報は、取得された画像データの決まった位置に存在することになる。そのため、目的地情報取得部３０１は、その位置について文字認識を行い、発券店舗の所在地情報を取得する。
【００３９】
所在地情報に住所が含まれている場合、目的地情報取得部３０１は、当該住所を目的地情報として保持する。また、所在地情報に住所が含まれておらず、発券店舗名のみが含まれている場合、目的地情報取得部３０１は、上述のように、ネットワークインターフェイス１６１を通じて、ネットワーク１６２上の店舗情報サーバーを利用して目的地の住所を特定する。店舗情報サーバーは、店舗名と店舗住所とを対応づけて格納しており、店舗名を通知することで、その店舗の住所を取得することができる。
【００４０】
一方、ユーザーがチケットを正しく配置していなかった場合、目的地情報取得部３０１は、取得された画像データの決まった位置から所在地情報を取得できない。この場合、目的地情報取得部３０１は、操作パネル１７１のタッチパネルディスプレイ上に画像保持部３１１に保持されている画像データのプレビュー画面を表示するとともに、発券店舗の所在地情報が記載されている領域の指定をユーザーに要求する。ユーザーがタッチパネルディスプレイを通じて領域を入力すると、当該領域は領域受付部３０４に受け付けられる。このとき、領域受付部３０４は、受け付けた領域の情報を目的地情報取得部３０１に入力する。当該入力に応じて目的地情報取得部３０１は指定された領域から所在地情報を取得する。
【００４１】
以上のようにして目的地情報を取得した目的地情報取得部３０１は、その旨を地図モード選択部３０５に通知する。当該通知を受けた地図モード選択部３０５は、近距離モードと遠距離モードとのいずれで印刷するかを、出発時情報保持部３０２に保持された出発地情報及び目的地情報取得部３０１に保持された目的地情報に基づいて選択する（ステップＳ４０５）。
【００４２】
特に限定されないが、本実施形態では、当該選択は、都道府県名及び市町村名に基づいて実施される。例えば、出発地情報と目的地情報の都道府県名が同一であり、かつ市町村名が同一である場合、地図モード選択部３０５は近距離モードを選択する（ステップＳ４０５Ｙｅｓ）。上述のように、近距離モードは、出発地及び目的地を同一地図上に印刷する地図モードである。
【００４３】
また、出発地情報と目的地情報の都道府県名が異なる場合、又は市町村名が異なる場合、地図モード選択部３０５は遠距離モードを選択する（ステップＳ４０５Ｎｏ）。遠距離モードは、出発地及び目的地を別々の地図に印刷する地図モードである。
【００４４】
近距離モードを選択した場合、地図モード選択部３０５は、地図情報取得部３０３にその旨と、出発地情報及び目的地情報を入力する。当該入力に応じて、地図情報取得部３０３は、サーバー装置２００の地図データベース２０２から、出発地から目的地までの地図情報を取得する（ステップＳ４０６）。地図情報を取得した地図情報取得部３０３は、出発地及び目的地を同一地図上に記載した画像データを生成する。本実施形態では、当該画像データ中に、出発地から目的地までの経路例と、案内情報を併せて記載する。画像データの生成を完了した地図情報取得部３０３は、生成した画像データを画像形成部１４０に入力して印刷する（ステップＳ４０７）。
【００４５】
一方、遠距離モードを選択した場合、地図モード選択部３０５は、ユーザーに移動手段を問い合わせる（ステップＳ４０８Ｎｏ）。ここでは、移動手段として、鉄道（公共交通機関）又は車が選択可能になっている。なお、当該問い合わせは操作パネル１７１を通じて行われる。
【００４６】
ユーザーが移動手段を選択すると、地図モード選択部３０５は、地図情報取得部３０３に遠距離モードである旨と選択された移動手段、出発地情報及び目的地情報を入力する（ステップＳ４０８Ｙｅｓ）。当該入力に応じて、地図情報取得部３０３は、サーバー装置２００の地図データベース２０２から、出発地から目的地までの地図情報を取得する（ステップＳ４０９）。上述のように、遠距離モードでは、地図情報を取得した地図情報取得部３０３は、出発地及び目的地を別々の地図上に記載した画像データを生成する。本実施形態では、これらの画像データ中に、出発地から目的地までの経路例と、案内情報を併せて記載する。
【００４７】
また、地図情報取得部３０３は、出発地を含む地図（第１の地図）から目的地を含む地図（第２の地図）に至る間の簡易経路情報を示す画像データも生成する。簡易経路情報は、地図ではなく、鉄道の路線乗り継ぎ等の情報や、高速道路の路線乗り継ぎ等の情報のような経路のみを文字や図で示した情報を意味する。このような簡易経路情報は、公知の任意の手法に基づいて生成することができる。本実施形態では、出発地を含む地図に簡易経路情報の起点となる第１の経由地が含まれており、目的地を含む地図に簡易経路情報の終点となる第２の経由地が含まれている。
【００４８】
図５は、ユーザーが移動手段として鉄道を選択した場合に地図情報取得部３０３が作成する画像データを示すイメージ図である。図５（ａ）は、出発地及び第１の経由地を含む地図に対応する。図５（ｂ）は、簡易経路情報に対応する。図５（ｃ）は、出発地及び第２の経由地を含む地図に対応する。なお、この例において、出発地は、ＸコンビニＹ店であり、目的地は、ＸコンビニＺ店である。また、第１の経由地がＡ駅であり、第２の経由地がＣ駅である。
【００４９】
図５（ａ）に示すように、第１の地図５０１には、出発地と、出発地から目的地へ向かうための出発地側の最寄り駅であるＡ駅とが含まれている。また、図５（ｃ）に示すように、第２の地図５０３には、出発地から目的地へ向かうための目的地側の最寄り駅であるＣ駅と、目的地とが含まれている。さらに、図５（ｂ）に示すように、簡易経路図５０２には、Ａ駅からＣ駅までの簡易経路情報が含まれている。図５（ｂ）に示す例では、Ａ駅からＣ駅に至るまでの間に、Ｂ駅で乗り継ぎが行われている。また、Ａ駅とＣ駅との間の路線情報（Ｐ線、Ｑ線）も併記されている。
【００５０】
また、図６は、ユーザーが移動手段として車を選択した場合に地図情報取得部３０３が作成する画像データを示すイメージ図である。図６（ａ）は、出発地及び第１の経由地を含む地図に対応する。図６（ｂ）は、簡易経路情報に対応する。図６（ｃ）は、出発地及び第２の経由地を含む地図に対応する。なお、この例において、出発地は、ＸコンビニＹ店であり、目的地は、ＸコンビニＺ店である。また、第１の経由地がＡ駅であり、第２の経由地がＣ駅である。
【００５１】
図６（ａ）に示すように、第１の地図６０１には、出発地と、出発地から目的地へ向かうための出発地側の最寄りインターチェンジであるＤインターとが含まれている。また、図６（ｃ）に示すように、第２の地図５０３には、出発地から目的地へ向かうための目的地側の最寄りインターチェンジであるＦインターと、目的地とが含まれている。さらに、図６（ｂ）に示すように、簡易経路図６０２には、ＤインターからＦインターまでの簡易経路情報が含まれている。図６（ｂ）に示す例では、ＤインターからＦインターに至るまでの間に、Ｅジャンクションで乗り継ぎが行われている。また、ＤインターとＦインターとの間の路線情報（Ｒ自動車道、Ｓ自動車道）も併記されている。
【００５２】
画像データの生成を完了した地図情報取得部３０３は、生成した画像データを画像形成部１４０に入力して印刷する（ステップＳ４０７）。特に限定されないが、遠距離モードでは、別々の地図及び簡易経路情報は、同一の用紙上に印刷されることがより好ましい。
【００５３】
なお、上記実施形態では、目的地情報取得部３０１が画像データの特定領域から所在地情報を取得する構成としたが、画像データの全体から所在地情報を取得する構成を採用することができる。
【００５４】
また、上記実施形態では、出発地情報と目的地情報の都道府県名が異なる場合、又は市町村名が異なる場合、地図モード選択部３０５は遠距離モードを選択する構成としたが、地図情報を取得した結果、出発地と目的地との間の距離が予め指定された距離（例えば、５ｋｍ）よりも短ければ、地図情報取得部３０３が短距離モードとして機能する構成であってもよい。
【００５５】
さらに、上記実施形態では、遠距離モードの場合、第１の地図、第２の地図及び簡易経路情報の全てを印刷する構成としたが、ユーザーが第１の地図、第２の地図及び簡易経路情報の中から必要なもののみを選択的に印刷可能である構成を採用することもできる。また、遠距離モードにおいて、経由地の候補が複数存在する場合、ユーザーに経由地を選択させる構成を採用することもできる。
【００５６】
以上説明したように、この複合機１００では、ユーザーが原稿をスキャンすると、スキャンした原稿画像に基づいて複合機１００が目的地を認識する。そして、認識した目的地の情報と、複合機１００に予め登録されている出発地の情報とに基づいて、複合機１００は、出発地から目的地までの地図情報を取得して印刷する。したがって、ユーザーは、目的地の位置情報を、操作パネル１７１を通じて入力することなく、目的地までの地図を取得することができる。
【００５７】
また、複合機１００では、フォーマットから認識した領域、あるいはユーザーにより指定された領域から、目的地の所在地情報を取得する構成であるため、目的地情報取得部３０１は、より簡単に目的地情報を取得することができる。
【００５８】
なお、上述した実施形態は本発明の技術的範囲を制限するものではなく、既に記載したもの以外でも、本発明の範囲内で種々の変形や応用が可能である。例えば、上記実施形態では、特に好ましい形態として、領域受付部３０４、地図モード選択部３０５を備える構成を例示したが、これらは選択的な構成要素であり、本発明に必須の構成要素ではない。これらの構成要素を備えない構成であっても、どのようなユーザーでも、極めて容易に目的地までの地図を取得することができる。
【００５９】
また、図４に示したフローチャートは、等価な作用を奏する範囲において、各ステップの順序を適宜変更可能である。例えば、図４の例では、遠距離モードが選択された場合に移動手段をユーザーに問い合わせる構成としているが、地図モードに関係なく問い合わせる構成であってもよい。例えば、移動手段は、原稿載置ステップＳ４０１の前にユーザーに問い合わせることも可能である。
【００６０】
加えて、上述の実施形態では、デジタル複合機として本発明を具体化したが、当該装置に限らず、ファクシミリ、複写機等の任意の画像形成装置に本発明を適用することも可能である。
【産業上の利用可能性】
【００６１】
本発明によれば、どのようなユーザーでも、極めて容易に目的地までの地図を取得することができ、画像形成装置として有用である。
【符号の説明】
【００６２】
１００  複合機（画像形成装置）
１２０  画像読取部
１４０  画像形成部
３０１  目的地情報取得部
３０２  出発地情報保持部
３０３  地図情報取得部
３０４  領域受付部
３０５  地図モード選択部
【図１】
2016051010.tif 000003
【図２】
2016051010.tif 000004
【図３】
2016051010.tif 000005
【図４】
2016051010.tif 000006
【図５】
2016051010.tif 000007
【図６】
2016051010.tif 000008